(57)【特許請求の範囲】
【請求項１】
動画プレーンの画像信号と非動画プレーンの画像信号とを合成した画像プレーンにおいて、合成前の前記動画プレーンの画像信号を第１の基準レベルと比較することにより合成前の前記動画プレーンの画像信号のレベルが前記第１の基準レベルを超える領域に対応する領域を動画領域として検出し、合成前の前記非動画プレーンの画像信号を第２の基準レベルと比較することにより合成前の前記非動画プレーンの画像信号のレベルが前記第２の基準レベルを超える領域に対応する領域を非動画領域として検出し、コントラストおよび鮮鋭度の少なくとも一方を、検出した領域ごとに調整することにより前記画像プレーンの画質を制御する画像処理方法。
【請求項２】
与えられた合成比率で動画プレーンの画像信号と非動画プレーンの画像信号とを合成した画像プレーンにおいて、与えられた前記動画プレーンの合成比率を第１の基準レベルと比較することにより前記動画プレーンの合成比率が前記第１の基準レベルを超える領域に対応する領域を動画領域として検出し、与えられた前記非動画プレーンの合成比率を第２の基準レベルと比較することにより前記非動画プレーンの合成比率が前記第２の基準レベルを超える領域に対応する領域を非動画領域として検出し、コントラストおよび鮮鋭度の少なくとも一方を、検出した領域ごとに調整することにより前記画像プレーンの画質を制御する画像処理方法。
【請求項３】
請求項１または２の画像処理方法において、
前記非動画領域より前記動画領域において、コントラストをより高くするように調整する画像処理方法。
【請求項４】
請求項１または２の画像処理方法において、
前記非動画領域より前記動画領域において、鮮鋭度をより増強するように調整する画像処理方法。
【請求項５】
動画プレーンの画像信号と非動画プレーンの画像信号とを合成する画像プレーン合成手段と、
合成後の画像プレーンにおいて、合成前の前記動画プレーンの画像信号を第１の基準レベルと比較することにより合成前の前記動画プレーンの画像信号のレベルが前記第１の基準レベルを超える領域に対応する領域を動画領域として検出し、合成前の前記非動画プレーンの画像信号を第２の基準レベルと比較することにより合成前の前記非動画プレーンの画像信号のレベルが前記第２の基準レベルを超える領域に対応する領域を非動画領域として検出する描画領域検出手段と、
コントラストおよび鮮鋭度の少なくとも一方を、検出した領域ごとに調整することにより前記画像プレーンの画質を制御する画質制御手段と、
を備える画像処理装置。
【請求項６】
与えられた合成比率で動画プレーンの画像信号と非動画プレーンの画像信号とを合成する画像プレーン合成手段と、
合成後の画像プレーンにおいて、与えられた前記動画プレーンの合成比率を第１の基準レベルと比較することにより前記動画プレーンの合成比率が前記第１の基準レベルを超える領域に対応する領域を動画領域として検出し、与えられた前記非動画プレーンの合成比率を第２の基準レベルと比較することにより前記非動画プレーンの合成比率が前記第２の基準レベルを超える領域に対応する領域を非動画領域として検出する描画領域検出手段と、
コントラストおよび鮮鋭度の少なくとも一方を、検出した領域ごとに調整することにより前記画像プレーンの画質を制御する画質制御手段と、
を備える画像処理装置。
【請求項７】
請求項５または６の画像処理装置において、
前記画質制御手段は、前記非動画領域より前記動画領域において、コントラストをより高くするように調整する画像処理装置。
【請求項８】
請求項５または６のいずれかの画像処理装置において、
前記画質制御手段は、前記非動画領域より前記動画領域において、鮮鋭度をより増強するように調整する画像処理装置。
【発明の詳細な説明】
【０００１】
【発明の属する技術分野】
この発明は、特に、動画、静止画、グラフィックスなど、複数の異なるフォーマットの画像をディスプレイ上に同時に表示する場合に用いて好適な画像処理方法および画像処理装置に関する。
【０００２】
【従来の技術】
ＢＳ（放送衛星）デジタル放送などのデジタル放送を受信するテレビジョン受信機やセットトップボックスなどでは、動画、静止画、グラフィックスなどの画像プレーンを合成してディスプレイ上に表示することができる。また、パーソナルコンピュータで、チューナを備え、これによって受信した動画プレーンの画像信号に、コンピュータで得られる静止画プレーンやグラフィックスプレーンの画像信号を合成して、ディスプレイ上に画像を表示するものが考えられている。
【０００３】
図１９は、このような画像表示装置の一例を示し、ディスプレイとしてＣＲＴ（陰極線管）を用いる場合である。
【０００４】
この画像表示装置では、圧縮された動画デジタル画像信号が、チューナ１１で選局され、デコーダ１２で伸長されて、デコーダ１２からグラフィックスジェネレータ２０に、伸長後の動画デジタル画像信号が、動画プレーンとして入力される。
【０００５】
グラフィックスジェネレータ２０では、背景画プレーン、静止画プレーン、およびＰＮＧ（Ｐｏｒｔａｂｌｅ  Ｎｅｔｗｏｒｋ  Ｇｒａｐｈｉｃｓ）やＭＮＧ（Ｍｕｌｔｉｐｌｅ−ｉｍａｇｅ  Ｎｅｔｗｏｒｋ  Ｇｒａｐｈｉｃｓ）などのグラフィックスプレーンが、入力された動画プレーンに対して、指示された順位および比率で合成され、グラフィックスジェネレータ２０から、合成後のデジタル画像信号が、合成後の画像プレーンとして得られる。
【０００６】
例えば、図２０に示すように、背景画プレーンＢＰに対して、動画プレーンＭＰ、静止画プレーンＳＰ、グラフィックスプレーンＧＰの順で、各画像プレーンが合成される。
【０００７】
グラフィックスジェネレータ２０からの合成後のデジタル画像信号は、ＤＡ（Ｄｉｇｉｔａｌ  ｔｏ  Ａｎａｌｏｇ）コンバータ３１で、ＹＵＶ（輝度信号、赤の色差信号、青の色差信号）コンポーネント画像信号からなるアナログ画像信号に変換される。
【０００８】
このＹＵＶアナログ画像信号中の輝度信号Ｙが、高域増強回路４２に供給されて、高域増強回路４２において、輝度信号Ｙの高域成分が増強され、その高域増強後の輝度信号と、ＹＵＶアナログ画像信号中の赤および青の色差信号ＵＶが、ＹＵＶ／ＲＧＢコンバータ５１で、ＲＧＢ（赤、緑、青）アナログ画像信号に変換され、そのＲＧＢアナログ画像信号が、ＲＧＢドライブ回路５２に供給されて、ＣＲＴ６１が駆動される。
【０００９】
また、ＹＵＶアナログ画像信号中の輝度信号Ｙが、速度変調回路４３に供給されて、速度変調回路４３において、輝度信号Ｙが微分されて、ＣＲＴ６１の電子ビームの走査速度を変調する速度変調信号が生成され、その速度変調信号が、速度変調ドライブ回路５３に供給されて、ＣＲＴ６１に設けられた速度変調コイル６２に速度変調電流が与えられる。
【００１０】
高域増強回路４２での高域増強は、ＣＲＴ６１に表示される画像の鮮鋭度を向上させるためであり、速度変調回路４３からの速度変調信号による電子ビームの走査速度の変調も、ＣＲＴ６１に表示される画像の鮮鋭度を向上させるためである。
【００１１】
このように高域増強または速度変調によって鮮鋭度を向上させる以外に、例えば、輝度信号の入出力特性を設定することによって、表示される画像の輝度やコントラストなどを制御することができる。
【００１２】
【発明が解決しようとする課題】
上述した従来の画像表示方法ないし画像表示装置では、図２１に示すような合成後の画像プレーンの、動画領域ＭＥ、静止画領域ＳＥおよびグラフィックス領域ＧＥにおいて、画質が同一に制御される。すなわち、図１９の例では、高域増強回路４２での高域増強、および速度変調回路４３からの速度変調信号による電子ビームの走査速度の変調によって、動画領域ＭＥ、静止画領域ＳＥおよびグラフィックス領域ＧＥにおいて、鮮鋭度が一様に増強される。
【００１３】
しかしながら、鮮鋭度を向上させることは、一般に動画では有効であるが、静止画やグラフィックスでは逆効果となる場合があり、高域増強や速度変調によって鮮鋭度を向上させると、縦の線と横の線の太さが異なって見えたり、文字が見にくくなる場合がある。逆に、静止画やグラフィックスの画質を重視して、高域増強や速度変調の効果を弱めると、動画の画像がぼけて見えることになる。
【００１４】
この問題を回避するには、同一パレット上に配置する前の各画像プレーンの状態で、すなわち動画プレーン、静止画プレーンおよびグラフィックスプレーンのデジタル画像信号の状態で、それぞれの画質を個別に制御すればよい。
【００１５】
しかしながら、輝度信号の高域成分の増強による鮮鋭度の向上については、デジタル処理では、デジタルフィルタのタップ数の問題などから、アナログ処理に比べてパラメータの自由度が少なく、鮮鋭度を任意に制御することが困難である。また、電子ビームの走査速度の変調による鮮鋭度の向上は、デジタル処理では、実現することができない。
【００１６】
そこで、この発明は、動画プレーンの画像信号と、静止画プレーンやグラフィックスプレーンなどの非動画プレーンの画像信号とを合成して、ディスプレイ上に画像を表示する場合に、合成後の画像プレーンの動画領域および非動画領域において、それぞれに最適な画質を得ることができ、画像全体の高画質化を実現することができるようにしたものである。
【００１７】
【課題を解決するための手段】
この発明の第１の画像処理方法では、
動画プレーンの画像信号と非動画プレーンの画像信号とを合成した画像プレーンにおいて、合成前の前記動画プレーンの画像信号を第１の基準レベルと比較することにより合成前の前記動画プレーンの画像信号のレベルが前記第１の基準レベルを超える領域に対応する領域を動画領域として検出し、合成前の前記非動画プレーンの画像信号を第２の基準レベルと比較することにより合成前の前記非動画プレーンの画像信号のレベルが前記第２の基準レベルを超える領域に対応する領域を非動画領域として検出し、コントラストおよび鮮鋭度の少なくとも一方を、検出した領域ごとに調整することにより前記画像プレーンの画質を制御する。
この発明の第２の画像処理方法では、
動画プレーンの画像信号と非動画プレーンの画像信号とを合成した画像プレーンにおいて、与えられた前記動画プレーンの合成比率を第１の基準レベルと比較することにより前記動画プレーンの合成比率が前記第１の基準レベルを超える領域に対応する領域を動画領域として検出し、与えられた前記非動画プレーンの合成比率を第２の基準レベルと比較することにより前記非動画プレーンの合成比率が前記第２の基準レベルを超える領域に対応する領域を非動画領域として検出し、コントラストおよび鮮鋭度の少なくとも一方を、検出した領域ごとに調整することにより前記画像プレーンの画質を制御する。
【００１８】
この発明の第１の画像処理装置は、
動画プレーンの画像信号と非動画プレーンの画像信号とを合成する画像プレーン合成手段と、
合成後の画像プレーンにおいて、合成前の前記動画プレーンの画像信号を第１の基準レベルと比較することにより合成前の前記動画プレーンの画像信号のレベルが前記第１の基準レベルを超える領域に対応する領域を動画領域として検出し、合成前の前記非動画プレーンの画像信号を第２の基準レベルと比較することにより合成前の前記非動画プレーンの画像信号のレベルが前記第２の基準レベルを超える領域に対応する領域を非動画領域として検出する描画領域検出手段と、
コントラストおよび鮮鋭度の少なくとも一方を、検出した領域ごとに調整することにより前記画像プレーンの画質を制御する画質制御手段と、
を備えるものとする。
この発明の第２の画像処理装置は、
与えられた合成比率で動画プレーンの画像信号と非動画プレーンの画像信号とを合成する画像プレーン合成手段と、
合成後の画像プレーンにおいて、与えられた前記動画プレーンの合成比率を第１の基準レベルと比較することにより前記動画プレーンの合成比率が前記第１の基準レベルを超える領域に対応する領域を動画領域として検出し、与えられた前記非動画プレーンの合成比率を第２の基準レベルと比較することにより前記非動画プレーンの合成比率が前記第２の基準レベルを超える領域に対応する領域を非動画領域として検出する描画領域検出手段と、
コントラストおよび鮮鋭度の少なくとも一方を、検出した領域ごとに調整することにより前記画像プレーンの画質を制御する画質制御手段と、
を備えるものとする。
【００１９】
上記の画像表示方法または画像表示装置では、合成後の画像プレーンの動画領域および非動画領域において、それぞれに最適な画質を得ることができ、画像全体の高画質化を実現することができる。
【００２０】
【発明の実施の形態】
〔装置全体の構成〕
図１は、この発明の画像表示装置の一例の全体の構成を示し、ディスプレイとしてＣＲＴを用いる場合である。
【００２１】
この例では、圧縮された動画デジタル画像信号が、チューナ１１で選局され、デコーダ１２で伸長されて、デコーダ１２からグラフィックスジェネレータ２０に、伸長後の動画デジタル画像信号が、動画プレーンとして入力される。
【００２２】
グラフィックスジェネレータ２０では、背景画プレーン、静止画プレーンおよびグラフィックスプレーンが、入力された動画プレーンに対して、指示された順位および比率で合成され、グラフィックスジェネレータ２０から、合成後のデジタル画像信号が、合成後の画像プレーンとして得られる。
【００２３】
一方、この例では、放送側から送られた後述の描画領域指示情報が、デコーダ１２で分離されて、描画領域検出部７０に送出されるとともに、合成前の動画プレーン、静止画プレーンおよびグラフィックスプレーンのデジタル画像信号、および合成比率を示す情報が、グラフィックスジェネレータ２０から、描画領域検出部７０に送出される。
【００２４】
描画領域検出部７０は、描画領域検出回路８０および検出信号合成回路９０によって構成され、後述のように、描画領域検出回路８０において、図２に示すような合成後の画像プレーンの、動画領域ＭＥ、静止画領域ＳＥおよびグラフィックス領域ＧＥが特定検出されて、図３の上段に示すような各描画領域ごとの二値の検出信号が得られ、検出信号合成回路９０において、この各描画領域ごとの二値の検出信号が合成されて、図３の下段に示すような各描画領域ごとにレベルが異なる一つの合成検出信号が得られる。
【００２５】
グラフィックスジェネレータ２０からの合成後のデジタル画像信号は、ＤＡコンバータ３１で、ＹＵＶコンポーネント画像信号からなるアナログ画像信号に変換される。
【００２６】
このＹＵＶアナログ画像信号中の輝度信号Ｙが、コントラスト調整回路４１に供給されて、コントラスト調整回路４１において、輝度信号Ｙにつき、描画領域検出部７０からの合成検出信号によって、動画、静止画およびグラフィックスの各描画領域ごとにコントラストが調整される。
【００２７】
さらに、そのコントラスト調整後の輝度信号が、高域増強回路４２に供給されて、高域増強回路４２において、輝度信号の高域成分が増強されるとともに、描画領域検出部７０からの合成検出信号によって、動画、静止画およびグラフィックスの各描画領域ごとに高域成分の増強の程度が変えられる。
【００２８】
その高域増強後の輝度信号と、ＹＵＶアナログ画像信号中の赤および青の色差信号ＵＶが、ＹＵＶ／ＲＧＢコンバータ５１で、ＲＧＢアナログ画像信号に変換され、そのＲＧＢアナログ画像信号が、ＲＧＢドライブ回路５２に供給されて、ＣＲＴ６１が駆動される。
【００２９】
また、ＹＵＶアナログ画像信号中の輝度信号Ｙが、速度変調回路４３に供給されて、速度変調回路４３において、輝度信号Ｙが微分されて、ＣＲＴ６１の電子ビームの走査速度を変調する速度変調信号が生成されるとともに、描画領域検出部７０からの合成検出信号によって、動画、静止画およびグラフィックスの各描画領域ごとに速度変調信号の振幅が変えられる。
【００３０】
この速度変調信号が、速度変調ドライブ回路５３に供給されて、ＣＲＴ６１に設けられた速度変調コイル６２に速度変調電流が与えられる。
【００３１】
〔各描画領域の特定検出〕
（描画領域指示情報によって各描画領域を特定検出する例）
ＢＳデジタル放送などのデジタル放送では、放送側で、各描画領域につき、画面上の当該描画領域の左上隅の原点と縦および横のサイズとを指定するなどによって、各描画領域を指示することができる。
【００３２】
この場合には、描画領域検出部７０の描画領域検出回路８０において、その描画領域指示情報から、以下のように直接的に、動画、静止画およびグラフィックスの各描画領域を特定検出することができる。
【００３３】
すなわち、この場合、描画領域検出回路８０では、図２に示すような合成後の画像プレーンの各水平ラインの各画素ごとに、上記の描画領域指示情報から、当該水平ラインの当該画素が、動画領域、静止画領域およびグラフィックス領域のいずれに属するかを判定する。これによって、ある一つの水平ラインＬにおける各検出信号を、図３の上段に示すように、動画領域検出信号、静止画領域検出信号およびグラフィックス領域検出信号として、動画領域では動画領域検出信号のみが高レベルとなり、静止画領域では静止画領域検出信号のみが高レベルとなり、グラフィックス領域ではグラフィックス領域検出信号のみが高レベルとなる、それぞれ二値の信号が得られる。
【００３４】
ただし、この各描画領域の特定検出は、この例のように描画領域検出回路８０としてハードウェア回路によって実行する代わりに、ＣＰＵがプログラムに従ってソフトウェア的に実行するようにしてもよい。
【００３５】
検出信号合成回路９０は、一例として、図４に示すように、動画領域検出信号と静止画領域検出信号が、オアゲート９１に供給され、静止画領域検出信号の反転信号と動画領域検出信号が、アンドゲート９２に供給され、グラフィックス領域検出信号の反転信号とオアゲート９１の出力信号が、アンドゲート９３に供給され、アンドゲート９２の出力信号とグラフィックス領域検出信号が、オアゲート９４に供給されるとともに、電圧Ｖｃｃが得られる電源端とアンドゲート９３の出力端との間に、それぞれ抵抗値が２Ｒ，Ｒ，２Ｒの抵抗９５，９６，９７が接続され、抵抗９５と抵抗９６の接続点とオアゲート９４の出力端との間に、抵抗値が２Ｒの抵抗９８が接続され、抵抗９６と抵抗９７の接続点から合成検出信号が取り出される構成とする。
【００３６】
これによって、図３の下段に示すように、合成検出信号として、動画領域検出信号が高レベルとなる動画領域で電圧値がＶｃｃとなり、静止画領域検出信号が高レベルとなる静止画領域で電圧値が３Ｖｃｃ／４となり、グラフィックス領域検出信号が高レベルとなるグラフィックス領域で電圧値が２Ｖｃｃ／４となる多値の信号が得られる。
【００３７】
合成後の画像プレーン中に、動画領域、静止画領域およびグラフィックス領域のいずれにも属さない背景画領域が割り当てられる場合には、その背景画領域では、動画領域検出信号、静止画領域検出信号およびグラフィックス領域検出信号の全てが低レベルとなるので、合成検出信号の電圧値はＶｃｃ／４となる。
【００３８】
（各画像プレーンの信号レベルによって各描画領域を特定検出する例）
上述した描画領域指示情報は、常に与えられるものではなく、与えられない場合も多い。そこで、描画領域検出部７０の描画領域検出回路８０は、他の一つの例として、以下のように、合成前の動画プレーン、静止画プレーンおよびグラフィックスプレーンのデジタル画像信号のレベルから、合成後の画像プレーンの動画、静止画およびグラフィックスの各描画領域を特定検出する構成とする。
【００３９】
具体的に、描画領域検出回路８０では、図５に示すように、動画プレーンのデジタル画像信号Ｍｏを、コンパレータ８１で、基準レベルＫｍと比較し、静止画プレーンのデジタル画像信号Ｓｏを、コンパレータ８２で、基準レベルＫｓと比較し、グラフィックスプレーンのデジタル画像信号Ｇｏを、コンパレータ８３で、基準レベルＫｇと比較する。
【００４０】
基準レベルＫｍ，Ｋｓ，Ｋｇは、それぞれデジタル画像信号Ｍｏ，Ｓｏ，Ｇｏが取り得るレベル範囲内に設定する。具体的に、動画プレーンのデジタル画像信号Ｍｏは広いレベル範囲内に分布するので、動画プレーン用の基準レベルＫｍは低めに設定する。グラフィックスプレーンのデジタル画像信号Ｇｏは高いレベルとなるので、グラフィックスプレーン用の基準レベルＫｇは高めに設定する。静止画プレーン用の基準レベルＫｓは、動画プレーン用の基準レベルＫｍとグラフィックスプレーン用の基準レベルＫｇの中間に設定する。基準レベルＫｍ，Ｋｓ，Ｋｇは、それぞれ固定でもよく、あるいはシーンや状況などに応じて変化させてもよい。
【００４１】
これによって、図６に示すような動画プレーンＭＰ、静止画プレーンＳＰおよびグラフィックスプレーンＧＰの、ある一つの水平ラインＬにおけるコンパレータ８１，８２および８３の出力を、それぞれ動画領域検出信号、静止画領域検出信号およびグラフィックス領域検出信号として、図７の上段に示すように、Ｍｏ＞Ｋｍとなることによって動画領域と特定できる領域では、動画領域検出信号が高レベルとなり、Ｓｏ＞Ｋｓとなることによって静止画領域と特定できる領域では、静止画領域検出信号が高レベルとなり、Ｇｏ＞Ｋｇとなることによってグラフィックス領域と特定できる領域では、グラフィックス領域検出信号が高レベルとなる。
【００４２】
これら３つの検出信号が、図４に示した構成の検出信号合成回路９０に供給されることによって、図７の下段に示すように、合成検出信号として、動画領域検出信号が高レベルとなる動画領域で電圧値がＶｃｃとなり、静止画領域検出信号が高レベルとなる静止画領域で電圧値が３Ｖｃｃ／４となり、グラフィックス領域検出信号が高レベルとなるグラフィックス領域で電圧値が２Ｖｃｃ／４となる多値の信号が得られる。
【００４３】
（各画像プレーンの合成比率によって各描画領域を特定検出する例）
上述した、動画プレーン、静止画プレーン、グラフィックスプレーンのデジタル画像信号Ｍｏ，Ｓｏ，Ｇｏのレベルを、それぞれ基準レベルＫｍ，Ｋｓ，Ｋｇと比較することによって、動画、静止画、グラフィックスの各描画領域を特定検出する方法では、例えば、文字が表示される場合、文字の輪郭が一文字ずつ描画領域として検出されるため、検出信号は高レベルと低レベルを頻繁に繰り返す高速のパルスとなって、描画領域を適切に検出することができない。
【００４４】
そこで、描画領域検出部７０の描画領域検出回路８０は、他の一つの例として、以下のように、合成前の動画プレーン、静止画プレーンおよびグラフィックスプレーンの合成比率から、合成後の画像プレーンの動画、静止画およびグラフィックスの各描画領域を特定検出する構成とすることが望ましい。
【００４５】
各画像プレーンの合成比率は、放送側または画像表示装置側で、各画像プレーンの合成順位とともに、例えば、図８に示すように、背景画プレーンに対して動画プレーンを、（１−αｍ）：αｍの比率で合成し、その合成後の画像プレーンに対して静止画プレーンを、（１−αｓ）：αｓの比率で合成し、その合成後の画像プレーンに対してグラフィックスプレーンを、（１−αｇ）：αｇの比率で合成する、というように指示される。
【００４６】
αｍ，αｓ，αｇは、それぞれ、０以上、１以下とされ、αｍ＝０のときには、当該領域において、動画が全く表示されず、αｍ＝１のときには、当該領域において、背景画が全く表示されず、αｓ＝０のときには、当該領域において、静止画が全く表示されず、αｓ＝１のときには、当該領域において、背景画および動画が全く表示されず、αｇ＝０のときには、当該領域において、グラフィックスが全く表示されず、αｇ＝１のときには、当該領域において、背景画、動画および静止画が全く表示されない。
【００４７】
そして、αｍは、画面のある領域では、０でないある値αｍｏとされ、他の領域では、その値αｍｏより小さい値または０とされ、αｓは、画面のある領域では、０でないある値αｓｏとされ、他の領域では、その値αｓｏより小さい値または０とされ、αｇは、画面のある領域では、０でないある値αｇｏとされ、他の領域では、その値αｇｏより小さい値または０とされる、というように、αｍ，αｓ，αｇが、それぞれ領域ごとに指定される。
【００４８】
この場合には、描画領域検出回路８０では、図９に示すように、動画プレーンの合成比率αｍを、コンパレータ８４で、基準レベルｋｍと比較し、静止画プレーンの合成比率αｓを、コンパレータ８５で、基準レベルｋｓと比較し、グラフィックスプレーンの合成比率αｇを、コンパレータ８６で、基準レベルｋｇと比較する。
【００４９】
基準レベルｋｍ，ｋｓ，ｋｇは、それぞれ固定でもよく、あるいはシーンや状況などに応じて変化させてもよいが、それぞれ上記の値αｍｏ，αｓｏ，αｇｏより小さい値に設定する。
【００５０】
これによって、ある一つの水平ラインにおけるコンパレータ８４，８５および８６の出力を、それぞれ動画領域検出信号、静止画領域検出信号およびグラフィックス領域検出信号として、図１０の上段に示すように、αｍ＝αｍｏとされてαｍ＞ｋｍとなることによって動画領域と特定できる領域では、動画領域検出信号が高レベルとなり、αｓ＝αｓｏとされてαｓ＞ｋｓとなることによって静止画領域と特定できる領域では、静止画領域検出信号が高レベルとなり、αｇ＝αｇｏとされてαｇ＞ｋｇとなることによってグラフィックス領域と特定できる領域では、グラフィックス領域検出信号が高レベルとなる。
【００５１】
ただし、この場合、描画領域検出回路８０の出力の検出信号の状態では、図１０の上段および図１１に示すように、動画領域ＭＥと特定される領域、静止画領域ＳＥと特定される領域、およびグラフィックス領域ＧＥと特定される領域の間で、一部、重なりを生じ得る。
【００５２】
これら３つの検出信号が、図４に示した構成の検出信号合成回路９０に供給されることによって、図１０の下段に示すように、合成検出信号として、動画領域検出信号のみが高レベルとなる領域で電圧値がＶｃｃとなり、静止画領域検出信号が高レベルとなる領域からグラフィックス領域検出信号が高レベルとなる領域を除いた領域で電圧値が３Ｖｃｃ／４となり、グラフィックス領域検出信号が高レベルとなる領域で電圧値が２Ｖｃｃ／４となる多値の信号が得られ、図２に示したように、動画領域ＭＥ、静止画領域ＳＥおよびグラフィックス領域ＧＥを、重なりのない状態で特定することができる。
【００５３】
（各例の描画領域特定検出を併用する場合）
上述した３つの例の描画領域特定検出を併用することもできる。
【００５４】
この場合には、図１２に示すように、描画領域検出回路８０では、描画領域指示情報による各検出信号、各画像プレーンの信号レベルによる各検出信号、および各画像プレーンの合成比率による各検出信号を、同種の描画領域の検出信号ごとにまとめて、オアゲート８７，８８および８９に供給し、オアゲート８７，８８および８９の出力を、それぞれ動画領域検出信号、静止画領域検出信号およびグラフィックス領域検出信号として、図４に示した構成の検出信号合成回路９０に供給する。
【００５５】
これによれば、検出信号合成回路９０の出力の合成検出信号として、図１３に示すように、図３の下段および図１０の下段に示したものと同様のものが得られる。
【００５６】
〔画質の制御〕
図１の例の画像表示装置では、上述した各例の特定検出方法により描画領域検出部７０から得られる合成検出信号によって、コントラスト調整回路４１において、合成後の画像の輝度信号につき、動画、静止画およびグラフィックスの各描画領域ごとにコントラストが調整され、高域増強回路４２において、動画、静止画およびグラフィックスの各描画領域ごとに輝度信号の高域成分の増強の程度が変えられ、速度変調回路４３において、動画、静止画およびグラフィックスの各描画領域ごとに速度変調信号の振幅が変えられる。
【００５７】
すなわち、コントラスト調整回路４１では、輝度信号の入出力特性が設定されて、コントラストが調整されるが、その入出力特性は、例えば、合成検出信号がＶｃｃとなる動画領域では、図１４の直線Ｃ１のようにコントラストを高くする特性とされ、合成検出信号が３Ｖｃｃ／４となる静止画領域では、図１４の直線Ｃ２のようにコントラストを中程度とする特性とされ、合成検出信号が２Ｖｃｃ／４となるグラフィックス領域では、図１４の直線Ｃ３のようにコントラストを低くする特性とされる。
【００５８】
動画では、一般にコントラストが高い方が好ましい。しかし、グラフィックスは、もともとコントラストの高い画像として生成されるので、コントラストをさらに高くするのは好ましくない。この例によれば、このような各画像の性質の違いに応じて、それぞれに最適なコントラストを得ることができる。
【００５９】
高域増強回路４２では、輝度信号の高域成分が増強されて、画像の鮮鋭度が増強されるが、その高域成分の増強の程度が、図１５に示すように、動画領域では最も大きくされ、静止画領域では中程度とされ、グラフィックス領域では最も小さくされる。
【００６０】
したがって、高域増強による鮮鋭度の増強の程度が、動画領域では最も大きくなり、静止画領域では中程度となり、グラフィックス領域では最も小さくなって、各画像の性質の違いに応じて、それぞれに最適な鮮鋭度が得られる。
【００６１】
速度変調回路４３では、輝度信号が微分されて、ＣＲＴ６１の電子ビームの走査速度を変調する速度変調信号が生成され、速度変調電流が速度変調コイル６２に与えられて、画像の鮮鋭度が増強されるが、その速度変調信号の振幅が、図１６に示すように、動画領域では最も大きくされ、静止画領域では中程度とされ、グラフィックス領域では最も小さくされる。
【００６２】
したがって、速度変調による鮮鋭度の増強の程度が、動画領域では最も大きくなり、静止画領域では中程度となり、グラフィックス領域では最も小さくなって、各画像の性質の違いに応じて、それぞれに最適な鮮鋭度が得られる。
【００６３】
〔他の例〕
静止画領域とグラフィックス領域の間では、コントラストおよび鮮鋭度は、上述した例と逆に静止画領域の方をグラフィックス領域より低くし、または静止画領域とグラフィックス領域で同じにしてもよい。
【００６４】
そこで、例えば、図４の構成の検出信号合成回路９０をコントラスト調整用および高域増強用として、コントラスト調整用および高域増強用の合成検出信号として、図１７の上段に示すような合成検出信号を得るとともに、そのコントラスト調整用および高域増強用の検出信号合成回路とパラレルに、速度変調用の検出信号合成回路を設けて、これから速度変調用の合成検出信号として、図１７の下段に示すような、同図の上段に示した合成検出信号に対して静止画領域とグラフィックス領域で電圧値が入れ替わったものを得、同図の上段の合成検出信号によって、上述したようにコントラスト調整および高域増強による鮮鋭度の増強を行うとともに、同図の下段の合成検出信号によって、図１８に示すように、速度変調信号の振幅が、動画領域では最も大きくされるが、グラフィックス領域では中程度とされ、静止画領域では最も小さくされるように、速度変調による鮮鋭度の増強を行ってもよい。
【００６５】
また、検出信号合成回路９０の構成を図４に示したものと変えて、コントラスト調整用、高域増強用および速度変調用に共通の合成検出信号として、動画領域で電圧値が最も高くなり、静止画領域およびグラフィックス領域では互いに同一電圧値となる信号を得、その合成検出信号によって、コントラスト調整、高域増強による鮮鋭度の増強、および速度変調による鮮鋭度の増強を行ってもよい。
【００６６】
さらに、以上の例は、検出信号合成回路９０からの合成検出信号によって、動画、静止画およびグラフィックスの各描画領域ごとにコントラストおよび鮮鋭度を制御する場合であるが、検出信号合成回路９０を設けることなく、描画領域検出回路８０からの動画領域検出信号、静止画領域検出信号およびグラフィックス領域検出信号を、コントラスト調整回路４１、高域増強回路４２および速度変調回路４３に、それぞれに対する制御信号として供給して、３つの検出信号のレベル状態に応じて、コントラスト、高域増強および速度変調を制御するようにしてもよい。この制御を、ソフトウェア的に行うこともできる。
【００６７】
上述した例は、動画プレーンに静止画プレーンおよびグラフィックスプレーンを合成する場合であるが、これに限らず、字幕などのテキストプレーン、矢印などを表示するためのスプライトプレーンなどの画像プレーンを合成してもよい。この場合、テキストプレーンやスプライトプレーンなどの画像プレーンについては、その描画領域のコントラストおよび鮮鋭度は、例えば、静止画領域またはグラフィックス領域と同様に制御すればよい。
【００６８】
また、各描画領域ごとに調整する画質パラメータは、コントラスト、輝度信号の高域増強の程度、または速度変調の程度に限らず、鮮鋭度向上のために増強する輝度信号成分の周波数、輝度、ガンマ特性、直流伝送率、黒レベル再生の程度など、およそ画質を制御するものであれば、いかなるパラメータでもよい。
【００６９】
さらに、上述した例は、ディスプレイとしてＣＲＴを用いる場合であるが、ディスプレイとして、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ）、ＰＡＬＣＤ（Ｐｌａｓｍａ  Ａｄｄｒｅｓｓｅｄ  Ｌｉｑｕｉｄ  Ｃｒｙｓｔａｌ  Ｄｉｓｐｌａｙ）などを用いる場合にも、この発明を適用することができる。
【００７０】
【発明の効果】
上述したように、この発明によれば、動画プレーンの画像信号と、静止画プレーンやグラフィックスプレーンなどの非動画プレーンの画像信号とを合成して、ディスプレイ上に画像を表示する場合に、合成後の画像プレーンの動画領域および非動画領域において、それぞれに最適な画質を得ることができ、画像全体の高画質化を実現することができる。
【図面の簡単な説明】
【図１】この発明の画像表示装置の一例の全体の構成を示す図である。
【図２】合成後の画像プレーンの一例を示す図である。
【図３】各描画領域の検出信号および合成検出信号の一例を示す図である。
【図４】検出信号合成回路の一例を示す図である。
【図５】描画領域検出回路の一例を示す図である。
【図６】各画像プレーンの一例を示す図である。
【図７】各描画領域の検出信号および合成検出信号の一例を示す図である。
【図８】各画像プレーンの合成比率の説明に供する図である。
【図９】描画領域検出回路の一例を示す図である。
【図１０】各描画領域の検出信号および合成検出信号の一例を示す図である。
【図１１】図１０の各描画領域の検出信号によって特定される各描画領域を示す図である。
【図１２】描画領域検出部の一例を示す図である。
【図１３】図１２の例の描画領域検出部の出力の合成検出信号の一例を示す図である。
【図１４】コントラスト調整の説明に供する図である。
【図１５】輝度信号高域成分の増強制御の説明に供する図である。
【図１６】速度変調信号の振幅制御の説明に供する図である。
【図１７】合成検出信号の別の例を示す図である。
【図１８】速度変調信号の振幅制御の説明に供する図である。
【図１９】従来の画像表示装置の一例を示す図である。
【図２０】各画像プレーンの一例を示す図である。
【図２１】合成後の画像プレーンの一例を示す図である。
【符号の説明】
主要部については図中に全て記述したので、ここでは省略する。
【図１】
0004978760.tif 000002
【図２】
0004978760.tif 000003
【図３】
0004978760.tif 000004
【図４】
0004978760.tif 000005
【図５】
0004978760.tif 000006
【図６】
0004978760.tif 000007
【図７】
0004978760.tif 000008
【図８】
0004978760.tif 000009
【図９】
0004978760.tif 000010
【図１０】
0004978760.tif 000011
【図１１】
0004978760.tif 000012
【図１２】
0004978760.tif 000013
【図１３】
0004978760.tif 000014
【図１４】
0004978760.tif 000015
【図１５】
0004978760.tif 000016
【図１６】
0004978760.tif 000017
【図１７】
0004978760.tif 000018
【図１８】
0004978760.tif 000019
【図１９】
0004978760.tif 000020
【図２０】
0004978760.tif 000021
【図２１】
0004978760.tif 000022